(57)【要約】【課題】本開示は、新たなアンテナ、アレイアンテナ、無線通信モジュール、および無線通信機器を提供する。【解決手段】本開示の複数の実施形態の一例としてアンテナは、放射導体と、グラウンド導体と、第１給電線と、第２給電線と、第３給電線と、第４給電線と、第１給電回路と、第２給電回路とを含む。第１給電線から第４給電線の各々は、放射導体に電磁気的に接続されるように各々構成される。第１給電回路は、第１給電線および第３給電線に互いに逆相な逆相信号を給電するように構成される。第２給電回路は、第２給電線および第４給電線に互いに逆相な逆相信号を給電するように構成される。放射導体は、第1給電線および第３給電線からの給電によって第１方向に励振するように構成される。放射導体は、第２給電線および第４給電線からの給電によって第２方向に励振するように構成される。【選択図】図１
2020078045.tif 000002
【特許請求の範囲】
【請求項１】
放射導体と、
グラウンド導体と、
前記放射導体に電磁気的に接続されるように構成される第１給電線と、
前記放射導体に電磁気的に接続されるように構成される第２給電線と、
前記放射導体に電磁気的に接続されるように構成される第３給電線と、
前記放射導体に電磁気的に接続されるように構成される第４給電線と、
前記第１給電線および前記第３給電線に互いに逆相な逆相信号を給電するように構成される第１給電回路と、
前記第２給電線および前記第４給電線に互いに逆相な逆相信号を給電するように構成される第２給電回路と、を含み、
前記放射導体は、
前記第１給電線および前記第３給電線からの給電によって第１方向に励振するように構成され、
前記第２給電線および前記第４給電線からの給電によって第２方向に励振するように構成され、
前記第３給電線は、前記放射導体の中心から観て、前記第１方向において前記第１給電線と反対側に位置し、
前記第４給電線は、前記放射導体の中心から観て、前記第２方向において前記第２給電線と反対側に位置する、
アンテナ。
【請求項２】
請求項１に記載のアンテナであって、
前記第１給電線と前記第３給電線とを結ぶ方向は、前記第１方向に対して傾いており、
前記第２給電線と前記第４給電線とを結ぶ方向は、前記第２方向に対して傾いている、アンテナ。
【請求項３】
請求項１に記載のアンテナであって、
前記放射導体は、第１導体と、第２導体と、第３導体と、第４導体とを含み、
前記アンテナは、
前記第１導体と前記グラウンド導体とを電気的に接続する第１接続導体と、
前記第２導体と前記グラウンド導体とを電気的に接続する第２接続導体と、
前記第３導体と前記グラウンド導体とを電気的に接続する第３接続導体と、
前記第４導体と前記グラウンド導体とを電気的に接続する第４接続導体と、をさらに含み、
前記第１給電線は、前記第１導体に電磁気的に接続されるように構成され、
前記第２給電線は、前記第２導体に電磁気的に接続されるように構成され、
前記第３給電線は、前記第３導体に電磁気的に接続されるように構成され、
前記第４給電線は、前記第４導体に電磁気的に接続されるように構成される、
アンテナ。
【請求項４】
請求項３に記載のアンテナであって、
前記放射導体は、内導体をさらに含み、
前記内導体は、
前記第１方向および前記第２方向を含む第１平面と交わる第３方向において、前記第１導体、前記第２導体、前記第３導体、および前記第４導体から離れて位置し、
前記第１導体と、前記第２導体と、前記第３導体と、前記第４導体とを容量的に接続するように構成される、アンテナ。
【請求項５】
請求項４に記載のアンテナであって、
前記内導体は、
前記第３方向において、前記第１導体に対向する第１内導体と、
前記第３方向において、前記第２導体に対向する第２内導体と、
前記第３方向において、前記第３導体に対向する第３内導体と、
前記第３方向において、前記第４導体に対向する第４内導体と、
前記第１内導体と前記第３内導体とを電気的に接続する第１枝部と、
前記第２内導体と前記第４内導体とを電気的に接続する第２枝部と、を含む、アンテナ。
【請求項６】
請求項３から５までのいずれかに記載のアンテナであって、
前記第１導体、前記第２導体、前記第３導体、および前記第４導体は、正方格子状に並び、
前記第１導体および前記第３導体は、前記正方格子の第１対角方向に並び、
前記第２導体および前記第４導体は、前記正方格子の第２対角方向に並び、
前記第１対角方向は、前記第１方向に対して傾いており、
前記第２対角方向は、前記第２方向に対して傾いている、アンテナ。
【請求項７】
請求項１から６までのいずれかに記載のアンテナであって、
前記第１給電回路は、
バランを含む第１反転回路と、
前記第１反転回路と前記第１給電線とを電気的に接続する第１配線と、
前記第１反転回路と前記第３給電線とを電気的に接続する第３配線と、
を含み、
前記第１配線および前記第３配線から共振周波数帯で位相が反転した逆相信号を、前記第１給電線および前記第３給電線に給電するように構成され、
前記第２給電回路は、
バランを含む第２反転回路と、
前記第２反転回路と前記第２給電線とを電気的に接続する第２配線と、
前記第２反転回路と前記第４給電線とを電気的に接続する第４配線と、を含み、
前記第２配線および前記第４配線から共振周波数帯で位相が反転した逆相信号を、前記第２給電線および前記第４給電線に給電するように構成される、アンテナ。
【請求項８】
請求項７に記載のアンテナであって、
多層配線基板をさらに含み、
前記多層配線基板は、
第１配線パターンとしての前記第１配線と、
第２配線パターンとしての前記第２配線と、
第３配線パターンとしての前記第３配線と、
第４配線パターンとしての前記第４配線と、を含み、
前記第１配線パターンと前記第３配線パターンとは、
前記多層配線基板の第１層に位置し、且つ
前記放射導体の中心と前記第１反転回路とを結ぶ方向を対称軸として線対称であり、
前記第２配線パターンと前記第４配線パターンとは、
前記多層配線基板の第１層とは異なる第２層に位置し、且つ
前記放射導体の中心と前記第２反転回路とを結ぶ方向を対称軸として線対称であり、
前記放射導体の中心と前記第１反転回路とを結ぶ距離と、前記放射導体の中心と前記第２反転回路とを結ぶ距離とは異なる、アンテナ。
【請求項９】
請求項８に記載のアンテナであって、
前記第１層は、前記多層配線基板の積層方向において、前記第２層よりも前記放射導体から離れており、
前記第１反転回路は、前記放射導体の中心から前記第２方向に沿って離れて位置し、
前記第２反転回路は、前記放射導体の中心から前記第１方向に沿って離れて位置し、
前記第１方向における前記放射導体の中心と前記第２反転回路との間の距離は、前記第２方向における前記放射導体の中心と前記第１反転回路との間の距離よりも、長い、アンテナ。
【請求項１０】
請求項１から６までのいずれかに記載のアンテナであって、
前記第１給電回路は、共振周波数帯で位相を反転する第１反転回路を含む、アンテナ。
【請求項１１】
請求項１０に記載のアンテナであって、
前記第１反転回路は、バランおよびディレイラインのいずれかである、アンテナ。
【請求項１２】
請求項１０または１１に記載のアンテナであって、
前記第２給電回路は、共振周波数帯で位相を反転する第２反転回路を含む、アンテナ。
【請求項１３】
請求項１２に記載のアンテナであって、
前記第２反転回路は、バランおよびディレイラインのいずれかである、アンテナ。
【請求項１４】
請求項１から１３までのいずれかに記載のアンテナであって、
前記第１給電回路は、
前記第１給電線に接続されるインダクタンス素子と、
前記第３給電線に接続されるキャパシタンス素子と、を含む、アンテナ。
【請求項１５】
請求項１から１４までのいずれかに記載のアンテナであって、
前記第２給電回路は、
前記第２給電線に接続されるインダクタンス素子と、
前記第４給電線に接続されるキャパシタンス素子と、を含む、アンテナ。
【請求項１６】
請求項１から１５までのいずれかに記載のアンテナであって、
前記放射導体の中心近傍を節として共振する、アンテナ。
【請求項１７】
請求項１から１６までのいずれかに記載のアンテナであって、
前記第１給電線および第２給電線は、前記放射導体の中心を通る第１対称軸を挟んで対称性を有し、
前記第３給電線および第４給電線は、前記第１対称軸を挟んで対称性を有する、アンテナ。
【請求項１８】
請求項１から１７までのいずれかに記載のアンテナであって、
前記第１給電線および第４給電線は、前記放射導体の中心を通る第２対称軸を挟んで対称性を有し、
前記第２給電線および第３給電線は、前記第２対称軸を挟んで対称性を有する、アンテナ。
【請求項１９】
請求項１から１８までのいずれかに記載のアンテナであって、
前記第１方向は、前記第２方向と直交する、アンテナ。
【請求項２０】
請求項１から１９までのいずれかに記載のアンテナであって、
前記放射導体は、動作波長の２分の１の大きさである、アンテナ。
【請求項２１】
請求項１から２０までのいずれかに記載のアンテナであるアンテナ素子を複数含み、
複数の前記アンテナ素子が前記第１方向に配列される、アレイアンテナ。
【請求項２２】
請求項２１に記載のアレイアンテナであって、
複数の前記アンテナ素子が前記第１方向および前記第２方向に配列される、アレイアンテナ。
【請求項２３】
請求項１から２０までのいずれかに記載のアンテナであるアンテナ素子と、
前記第１給電回路および前記第２給電回路の各々に直接的または間接的に接続される駆動回路と、を含む、
無線通信モジュール。
【請求項２４】
請求項２３に記載の無線通信モジュールであって、
前記駆動回路は、前記第１給電回路に送信信号を給電し、前記第２給電回路から受信信号の給電を受ける、
無線通信モジュール。
【請求項２５】
請求項２１または２２に記載のアレイアンテナと、
前記第１給電回路および前記第２給電回路の各々に直接的または間接的に接続される駆動回路と、を含む、
無線通信モジュール。
【請求項２６】
請求項２５に記載の無線通信モジュールであって、
前記駆動回路は、
前記第１給電回路および前記第２給電回路の少なくとも１つに送信信号を給電し、
前記第１給電回路および前記第２給電回路の少なくとも１つから受信信号の給電を受ける、
無線通信モジュール。
【請求項２７】
請求項２３から２６までのいずれかに記載の無線通信モジュールと、
前記駆動回路を駆動するバッテリと、を含む、
無線通信機器。
【発明の詳細な説明】
【技術分野】
【０００１】
本開示は、アンテナ、アレイアンテナ、無線通信モジュール、および無線通信機器に関する。
【背景技術】
【０００２】
２つのアンテナを近づけると、アイソレーションが確保できなくなる。アンテナのアイソレーションを確保するため、２つのアンテナを離し、且つ間に構造体を挿入する技術がある。かかる技術は例えば特許文献１に記載されている。
【先行技術文献】
【特許文献】
【０００３】
【特許文献１】特開２０１６−１０５５８３号公報
【発明の概要】
【発明が解決しようとする課題】
【０００４】
しかしながら、特許文献１に記載の技術では、構造体を挿入するため、アンテナの構造が大きくなる。
【０００５】
本開示は、新たなアンテナ、アレイアンテナ、無線通信モジュール、および無線通信機器を提供することを目的とする。
【課題を解決するための手段】
【０００６】
本開示の複数の実施形態の一例であるアンテナは、放射導体と、グラウンド導体と、第１給電線と、第２給電線と、第３給電線と、第４給電線と、第１給電回路と、第２給電回路とを含む。前記第１給電線は、前記放射導体に電磁気的に接続されるように構成される。前記第２給電線は、前記放射導体に電磁気的に接続されるように構成される。前記第３給電線は、前記放射導体に電磁気的に接続されるように構成される。前記第４給電線は、前記放射導体に電磁気的に接続されるように構成される。前記第１給電回路は、前記第１給電線および前記第３給電線に互いに逆相な逆相信号を給電するように構成される。前記第２給電回路は、前記第２給電線および前記第４給電線に互いに逆相な逆相信号を給電するように構成される。前記放射導体は、前記第1給電線および前記第３給電線からの給電によって第１方向に励振するように構成される。前記放射導体は、前記第２給電線および前記第４給電線からの給電によって第２方向に励振するように構成される。前記第３給電線は、前記放射導体の中心から観て、前記第１方向において前記第１給電線と反対側に位置する。前記第４給電線は、前記放射導体の中心から観て、前記第２方向において前記第２給電線と反対側に位置する。
【０００７】
本開示の複数の実施形態の一例であるアレイアンテナは、上述のアンテナであるアンテナ素子を複数含む。複数のアンテナ素子は、第１方向に配列される。
【０００８】
本開示の複数の実施形態の一例である無線通信モジュールは、上述のアンテナであるアンテナ素子と、駆動回路と、を含む。駆動回路は、第１給電回路および第２給電回路の各々に直接的または間接的に接続される。
【０００９】
本開示の複数の実施形態の一例である無線通信モジュールは、上述のアレイアンテナと、駆動回路と、を含む。駆動回路は、第１給電回路および第２給電回路の各々に直接的または間接的に接続される。
【００１０】
本開示の複数の実施形態の一例である無線通信機器は、上述の無線通信モジュールと、バッテリと、を含む。バッテリは、駆動回路を駆動する。
【発明の効果】
【００１１】
本開示のアンテナ、アレイアンテナ、無線通信モジュール、および無線通信機器は、２つの偏波方向のアイソレーションを高めることができる。
【図面の簡単な説明】
【００１２】
【図１】図１は、アンテナの一実施形態を示す斜視図である。
【図２】図２は、アンテナの一実施形態を示す断面図である。
【図３】図３は、アンテナの一実施形態を示すブロック図である。
【図４】図４は、放射導体の一実施形態を示す平面図である。
【図５】図５は、アンテナの一実施形態を示す斜視図である。
【図６】図６は、図５に示すＬ１−Ｌ１線に沿ったアンテナの断面図である。
【図７】図７は、図５に示すアンテナの一部を分解した斜視図である。
【図８】図８は、図５に示すアンテナのブロック図である。
【図９】図９は、図５に示す放射導体の構成を説明する平面図である。
【図１０】図１０は、アンテナの一実施形態を示す平面図である。
【図１１】図１１は、図１０に示すアンテナの一部を分解した斜視図である。
【図１２】図１２は、アンテナの一実施形態を示す斜視図である。
【図１３】図１３は、図１２に示す回路基板の一部を分解した斜視図である。
【図１４】図１４は、図１３に示すＬ２−Ｌ２線に沿った回路基板の断面図である。
【図１５】図１５は、図１２に示す放射導体の構成を説明する平面図である。
【図１６】図１６は、アレイアンテナの一実施形態を示す平面図である。
【図１７】図１７は、無線通信モジュールの一実施形態を示す平面図である。
【図１８】図１８は、無線通信機器の一実施形態を示す平面図である。
【図１９】図１９は、無線通信システムの一実施形態を示す平面図である。
【発明を実施するための形態】
【００１３】
本開示の複数の実施形態を以下に説明する。各図面において、同一構成要素には、同一参照符号を付す。
【００１４】
図１および図２に示すように、アンテナ１０は、基体２０と、放射導体３０と、グラウンド導体４０と、給電線５０と、回路基板６０とを含む。基体２０は、放射導体３０、グラウンド導体４０、給電線５０と接する。放射導体３０、グラウンド導体４０、および給電線５０は、アンテナ素子１１として機能する。アンテナ１０は、所定の共振周波数で発振し、電磁波を放射するように構成される。
【００１５】
基体２０は、セラミック材料、および樹脂材料のいずれかを組成として含みうる。セラミック材料は、酸化アルミニウム質焼結体、窒化アルミニウム質焼結体、ムライト質焼結体、ガラスセラミック焼結体、ガラス母材中に結晶成分を析出させた結晶化ガラス、および雲母もしくはチタン酸アルミニウム等の微結晶焼結体を含む。樹脂材料は、エポキシ樹脂、ポリエステル樹脂、ポリイミド樹脂、ポリアミドイミド樹脂、ポリエーテルイミド樹脂、および液晶ポリマー等の未硬化物を硬化させたものを含む。
【００１６】
放射導体３０およびグラウンド導体４０は、金属材料、金属材料の合金、金属ペーストの硬化物、および導電性高分子のいずれかを組成として含みうる。放射導体３０およびグラウンド導体４０の全てが同じ材料を含んでよい。放射導体３０およびグラウンド導体４０の全てが異なる材料を含んでよい。放射導体３０およびグラウンド導体４０のいずれかの組合せが同じ材料を含んでよい。金属材料は、銅、銀、パラジウム、金、白金、アルミニウム、クロム、ニッケル、カドミウム鉛、セレン、マンガン、錫、バナジウム、リチウム、コバルト、およびチタン等を含む。合金は、複数の金属材料を含む。金属ペースト剤は、金属材料の粉末を有機溶剤、およびバインダとともに混練したものを含む。バインダは、エポキシ樹脂、ポリエステル樹脂、ポリイミド樹脂、ポリアミドイミド樹脂、ポリエーテルイミド樹脂を含む。導電性ポリマーは、ポリチオフェン系ポリマー、ポリアセチレン系ポリマー、ポリアニリン系ポリマー、ポリピロール系ポリマー等を含む。
【００１７】
放射導体３０は、共振器として機能する。放射導体３０は、パッチ型の共振器としうる。一例において、放射導体３０は、基体２０の上に位置する。一例において、放射導体３０は、ｚ方向において、基体２０の端に位置する。一例において、放射導体３０は、基体２０の中に位置しうる。放射導体３０の一部は、基体２０の内に位置しうる。放射導体３０の他の一部は、基体２０の外に位置しうる。放射導体３０の一部の面は、基体２０の外に面しうる。
【００１８】
複数の実施形態の一例において、放射導体３０は、第１平面に沿って広がる。放射導体３０の端は、第１方向および第２方向に沿っている。本実施形態では、第１方向（first axis）をｙ方向として示す。本実施形態では、第２方向（third axis）をｘ方向として示す。本実施形態では、第１方向は、第２方向と直交する。ただし、本開示において、第１方向は、第２方向と直交しなくてよい。本開示において、第１方向は、第２方向と交わればよい。本実施形態では、第３方向（second axis）をｚ方向として示す。本実施形態では、第３方向は、第１方向および第２方向と直交する。ただし、本開示において、第３方向は、第１方向および第２方向と直交しなくてよい。本開示において、第３方向は、第１方向および第２方向と交わればよい。本実施形態では、第１平面（first plane）を、ｘｙ面として示す。本実施形態では、第２平面（second plane）を、ｙｚ面として示す。本実施形態では、第３平面（third plane）を、ｚｘ面として示す。これら平面は、座標空間(coordinate space)における平面（plane）であって、特定の面（plate）および特定の面（surface）を示すものではない。本開示では、ｘｙ平面における面積（surface integral）を第１面積という場合がある。本開示では、ｙｚ平面における面積を第２面積という場合がある。本開示では、ｚｘ平面における面積を第３面積という場合がある。面積（surface integral）は、平方メートル（square meter）などの単位で数えられる。本開示では、ｘ方向における長さを単に“長さ”という場合がある。本開示では、ｙ方向における長さを単に“幅”という場合がある。本開示では、ｚ方向における長さを単に“高さ"という場合がある。
【００１９】
図４に示すように、放射導体３０は、中心Ｏを含む。中心Ｏは、放射導体３０の、ｘ方向およびｙ方向の両方の中心である。放射導体３０は、ｘｙ平面に沿って延びる第１対称軸Ｓ１を含みうる。第１対称軸Ｓ１は、中心Ｏを通り、ｘ方向およびｙ方向に交わる方向に延びている。第１対称軸Ｓ１は、ｙ軸の正方向からｘ軸の負方向に向けて４５度傾いた方向に沿って延びてよい。放射導体３０は、ｘｙ平面に沿って延びる第２対称軸Ｓ２を含みうる。第２対称軸Ｓ２は、中心Ｏを通り、第１対称軸Ｓ１に交わる方向に延びている。
第２対称軸Ｓ２は、ｙ軸の正方向からｘ軸の正方向に向けて４５度傾いた方向に沿って延びてよい。放射導体３０は、動作波長の２分の１の大きさであってよい。動作波長は、アンテナ１０の動作周波数における電磁波の波長である。動作波長は、アンテナ１０の共振周波数の波長と同一であってよい。動作波長は、アンテナ１０の共振周波数の波長と異なってよい。例えば、放射導体３０のｘ方向における長さ、および放射導体３０のｙ方向における長さは、動作波長の２分の１であってよい。
【００２０】
複数の実施形態の一例において、グラウンド導体４０は、アンテナ素子１１におけるグラウンドとして機能しうる。複数の実施形態の一例において、グラウンド導体４０は、ｘｙ平面に沿って広がる。図２に示すように、グラウンド導体４０は、ｚ方向において放射導体３０と対向している。
【００２１】
給電線５０は、外部からの電気信号をアンテナ素子１１に供給するように構成されうる。給電線５０は、アンテナ素子１１からの電気信号を外部に供給するように構成されうる。給電線５０は、スルーホール導体またはビア導体等であってよい。給電線５０は、図１に示すように、第１給電線５１と、第２給電線５２と、第３給電線５３と、第４給電線５４とを含みうる。
【００２２】
第１給電線５１、第２給電線５２、第３給電線５３、および第４給電線５４の各々は、放射導体３０に電気的に接続されるように構成される。ただし、本開示では、第１給電線５１〜第４給電線５４の各々は電磁気的に放射導体３０に接続されるように構成されていればよい。本開示において「電磁気的な接続」は、電気的な接続および磁気的な接続を含む。図４に示すように、第１給電線５１、第２給電線５２、第３給電線５３、および第４給電線５４が放射導体３０に各々接続される箇所は、給電点５１Ａ、給電点５２Ａ、給電点５３Ａ、および給電点５４Ａとも各々記載する。第１給電線５１、第２給電線５２、第３給電線５３、および第４給電線５４の各々は、放射導体３０の異なる位置に接する。グラウンド導体４０は、図２に示すように、複数の開口４０ａを有する。第１給電線５１、第２給電線５２、第３給電線５３、および第４給電線５４の各々は、グラウンド導体４０の開口４０ａを経由して外部に通じている。第１給電線５１〜第４給電線５４の各々は、ｚ方向に沿って延びてよい。
【００２３】
第１給電線５１は、放射導体３０がｙ方向に共振した際の電気信号の外部への供給に少なくとも寄与するように構成される。第２給電線５２は、放射導体３０がｘ方向に共振した際の電気信号の外部への供給に少なくとも寄与するように構成される。第３給電線５３は、放射導体３０がｙ方向に共振した際の電気信号の外部への供給に少なくとも寄与するように構成される。第４給電線５４は、放射導体３０がｘ方向に共振した際の電気信号の外部への供給に少なくとも寄与するように構成される。
【００２４】
第１給電線５１および第３給電線５３と、第２給電線５２および第４給電線５４とは、放射導体３０を異なる方向に励振させるように構成される。例えば、第１給電線５１および第３給電線５３は、放射導体３０をｙ方向に励振させるように構成される。第２給電線５２および第４給電線５４は、放射導体３０をｘ方向に励振させるように構成される。アンテナ１０は、かかる給電線５０を有することで、放射導体３０を一方に励振させる際に放射導体３０が他方に励振することを低減することができる。
【００２５】
第１給電線５１と第３給電線５３とは、差動電圧で放射導体３０を励振させるように構成される。第２給電線５２と第４給電線５４とは、差動電圧で放射導体３０を励振させるように構成される。アンテナ１０は、差動電圧で放射導体３０を励振させることで、放射導体３０が励振する際の電位中心の、放射導体３０の中心Ｏからの揺らぎを小さくすることができる。
【００２６】
図４に示すように、ｘ方向において、第１給電線５１と第３給電線５３との間には、中心Ｏが位置する。第１給電線５１と中心Ｏとの間の第１距離ｄ１は、第３給電線５３と中心Ｏとの間の第３距離ｄ３と略等しい。
【００２７】
図４に示すように、ｙ方向において、第２給電線５２と第４給電線５４との間には、中心Ｏが位置しうる。第２給電線５２と中心Ｏとの間の第２距離ｄ２は、第４給電線５４と中心Ｏとの間の第４距離ｄ４と略等しい。第２距離ｄ２は、第１距離ｄ１と略等しくしうる。第２距離ｄ２は、第１距離ｄ１と異なりうる。
【００２８】
第１給電線５１および第２給電線５２は、第１対称軸Ｓ１を挟んで対称性を有してよい。第３給電線５３および第４給電線５４は、第１対称軸Ｓ１を挟んで対称性を有してよい。例えば、給電点５１Ａと給電点５２Ａとは、第１対称軸Ｓ１を対称軸として線対称であってよい。例えば、給電点５３Ａと給電点５４Ａとは、第１対称軸Ｓ１を対称軸として線対称であってよい。第１給電線５１および第４給電線５４は、第２対称軸Ｓ２を挟んで対称性を有してよい。第２給電線５２および第３給電線５３は、第２対称軸Ｓ２を挟んで対称性を有してよい。例えば、給電点５１Ａと給電点５４Ａとは、第２対称軸Ｓ２を対称軸として線対称であってよい。例えば、給電点５２Ａと給電点５３Ａとは、第２対称軸Ｓ２を対称軸として線対称であってよい。
【００２９】
第１給電線５１と第３給電線５３とを結ぶ方向は、ｙ方向に対して傾いている。第１給電線５１および第３給電線５３がｙ方向に対して傾いて並ぶことで、第１給電線５１および第３給電線５３は、放射導体３０をｘ方向にも励振させることができる。第２給電線５２と第４給電線５４とを結ぶ方向は、ｘ方向に対して傾いている。第２給電線５２および第４給電線５４がｘ方向に対して傾いて並ぶことで、第２給電線５２および第４給電線５４は、放射導体３０をｙ方向にも励振させることができる。第１給電線５１および第３給電線５３の組み合わせ、ならびに、第２給電線５２および第４給電線５４の組み合わせは、放射導体３０を２つの励振方向に励振させることができる。アンテナ１０は、放射導体３０を２つの励振方向に励振させることで、各方向のインピーダンス成分が給電線５０に作用する。アンテナ１０は、各方向のインピーダンス成分の相殺によって、入力時のインピーダンスを小さくしうる。
【００３０】
図２に示すように、回路基板６０は、グラウンド導体６０Ａを含む。図３に示すように、回路基板６０は、第１給電回路６１と、第２給電回路６２とを含む。回路基板６０は、第１給電回路６１および第２給電回路６２のいずれか一方を含んでもよい。
【００３１】
グラウンド導体６０Ａは、任意の導電性材料を含む。グラウンド導体６０Ａは、放射導体３０およびグラウンド導体４０と同じ材料を含んでよいし、放射導体３０およびグラウンド導体４０とは異なる材料を含んでよい。グラウンド導体６０Ａ、放射導体３０、およびグラウンド導体４０のいずれかの組合せが同じ材料を含んでよい。グラウンド導体６０Ａは、グラウンド導体１４０に接続されてよい。グラウンド導体６０Ａは、グラウンド導体１４０と一体化されてよい。
【００３２】
第１給電回路６１は、第１給電線５１および第３給電線５３に電気的に接続されている。第１給電回路６１は、互いの位相が略逆相となる逆相信号を第１給電線５１および第３給電線５３に供給するように構成される。言い換えると、第１給電線５１に供給される第１給電信号は、第３給電線５３に供給される第３給電信号と位相が略逆相である。
【００３３】
第１給電回路６１は、第１反転回路６３を含む。第１反転回路６３は、入力された１つの電気信号に基づいて、互いに位相が逆相となる２つの電気信号を出力可能である。第１反転回路６３は、共振周波数帯で、入力された１つの電気信号の位相を反転する回路であってよい。第１反転回路６３は、入力された１つの電気信号から、互いの位相が略逆相となる逆相信号を出力する回路であってよい。第１反転回路６３は、バラン（balun）、ならびに電力分配回路およびディレイライン（delay line memory）のいずれかであってよい。第１反転回路６３は、第１給電線５１および第３給電線５３の一方に接続されるインダクタンス素子と、他方に接続されるキャパシタンス素子とを含みうる。
【００３４】
第２給電回路６２は、第２給電線５２および第４給電線５４に電気的に接続されている。第２給電回路６２は、互いの位相が略逆相となる逆相信号を第２給電線５２および第４給電線５４に供給するように構成される。言い換えると、第２給電線５２に供給される第２給電信号は、第４給電線５４に供給される第４給電信号と位相が略逆相である。
【００３５】
第２給電回路６２は、第２反転回路６４を含む。第２反転回路６４は、入力された１つの電気信号に基づいて、互いに位相が逆相となる２つの電気信号を出力可能である。第２反転回路６４は、共振周波数帯で、入力された１つの電気信号の位相を反転する回路であってよい。第２反転回路６４は、入力された１つの電気信号から、互いの位相が略逆相となる逆相信号を出力する回路であってよい。第２反転回路６４は、バラン（balun）、ならびに電力分配回路およびディレイライン（delay line memory）、のいずれかであってよい。第２反転回路６４は、第２給電線５２および第４給電線５４の一方に接続されるインダクタンス素子と、他方に接続されるキャパシタンス素子とを含みうる。
【００３６】
アンテナ１０では、第１給電線５１および第３給電線５３に逆位相の電気信号が給電される。アンテナ１０では、放射導体３０がｙ方向に沿って共振する際に、放射導体３０の中心Ｏ近傍での電位変動が小さくなる。アンテナ１０は、中心О近傍を節として共振する。アンテナ１０では、第２給電線５２および第４給電線５４に逆位相の電気信号が給電される。アンテナ１０では、放射導体３０がｙ方向に沿って共振する際に、放射導体３０の中心Ｏ近傍での電位変動が小さくなる。
【００３７】
図５は、アンテナ１１０の一実施形態を示す斜視図である。図６は、図５に示すＬ１−Ｌ１線に沿ったアンテナ１１０の断面図である。図７は、図５に示すアンテナ１１０の一部を分解した斜視図である。図８は、図５に示すアンテナ１１０のブロック図である。図９は、図５に示す放射導体１３０の構成を説明する平面図である。
【００３８】
図５および図６に示すように、アンテナ１１０は、基体１２０と、放射導体１３０と、グラウンド導体１４０と、第１接続導体１５５と、第２接続導体１５６と、第３接続導体１５７と、第４接続導体１５８とを含む。アンテナ１１０は、給電線１５０と、回路基板１６０とを含む。放射導体１３０、グラウンド導体１４０、および給電線１５０は、アンテナ素子１１１として機能する。給電線１５０は、第１給電線１５１と、第２給電線１５２と、第３給電線１５３と、第４給電線１５４とを含む。図５に示すアンテナ１１０が含む第１接続導体１５５〜第４接続導体１５８の各々の数は、２つである。ただし、アンテナ１１０が含む第１接続導体１５５〜第４接続導体１５８の各々の数は、１つであってよいし、３つ以上であってよい。
【００３９】
アンテナ素子１１１は、所定の共振周波数で発振可能に構成される。アンテナ素子１１１が所定の共振周波数で発振することにより、アンテナ１１０は、電磁波を放射する。アンテナ１１０は、アンテナ素子１１１の少なくとも１つの共振周波数帯のうちの少なくとも１つを動作周波数としうる。アンテナ１１０は、動作周波数の電磁波を放射しうる。動作周波数の波長は、アンテナ１１０の動作周波数における電磁波の波長である動作波長となりうる。
【００４０】
アンテナ素子１１１は、ｚ軸の正方向からアンテナ素子１１１のｘｙ平面に略平行な面に入射する所定周波数の電磁波に対して、後述のように、人工磁気壁特性（Artificial Magnetic Conductor Character）を示す。本開示において「人工磁気壁特性」は、動作周波数における入射波と反射波との位相差が０度となる面の特性を意味する。人工磁気壁特性を有する面では、動作周波数帯において、入射波と反射波の位相差が−９０度〜＋９０度となる。動作周波数帯は、人工磁気壁特性を示す共振周波数と動作周波数とを含む。
【００４１】
アンテナ素子１１１が上述の人工磁気壁特性を示すことにより、図５に示すように、アンテナ１１０のｚ軸の負方向側に回路基板１６０の後述のグラウンド導体１６５を位置させても、アンテナ１１０の放射効率が維持され得る。
【００４２】
基体１２０は、図１に示す基体２０と同様の材料を含む。基体１２０は、放射導体１３０、グラウンド導体１４０、および給電線１５０と接する。基体１２０は、放射導体１３０の形状に応じた形状であってよい。基体１２０は、略正四角柱であってよい。基体１２０は、上面１２１および下面１２２を含む。上面１２１および下面１２２の各々は、略正四角柱である基体１２０の上面および底面の各々でありうる。上面１２１および下面１２２は、ｘｙ平面に略平行でありうる。上面１２１および下面１２２の各々は、略正方形でありうる。略正方形である上面１２１および下面１２２の２つの対角線のうちの一方の対角線は、ｘ方向に沿う。当該２つの対角線のうちの他方の対角線は、ｙ方向に沿う。上面１２１は、下面１２２よりも、ｚ軸の正方向側に位置する。
【００４３】
放射導体１３０は、共振器として機能する。放射導体１３０は、図１に示す放射導体３０と同様の材料を含む。図６に示すように、放射導体１３０は、基体１２０の上面１２１に位置しうる。放射導体１３０は、ｘｙ平面に沿って広がる。放射導体１３０は、第１接続導体１５５〜第４接続導体１５８を容量的に接続するように構成される。放射導体１３０は、ｘｙ平面において周囲を第１接続導体１５５〜第４接続導体１５８によって囲まれる。
【００４４】
放射導体１３０は、例えば第１給電線１５１および第３給電線１５３の各々から互いに逆相の電気信号が供給されることにより、ｙ方向に共振しうる。放射導体１３０がｙ方向に共振する際、放射導体１３０からは、第１接続導体１５５がｙ軸の負方向側に位置する電気壁として観え、第３接続導体１５７がｙ軸の正方向側に位置する電気壁として観える。放射導体１３０がｙ方向に共振する際、放射導体１３０からは、ｘ軸の正方向側が磁気壁として観え、ｘ軸の負方向側が磁気壁として観える。放射導体１３０がｙ方向に共振する際、放射導体１３０がこの２つの電気壁と２つの磁気壁とによって囲まれることにより、アンテナ１１０は、ｚ軸の正方向側からアンテナ１１０に含まれるｘｙ平面に入射する所定周波数の電磁波に対して人工磁気壁特性を示す。
【００４５】
放射導体１３０は、例えば第２給電線１５２および第４給電線１５４の各々から互いに逆相の電気信号が供給されることにより、ｘ方向に共振するように構成されうる。放射導体１３０がｘ方向に共振する際、放射導体１３０からは、第２接続導体１５６がｘ軸の正方向側に位置する電気壁として観え、第４接続導体１５８がｘ軸の負方向側に位置する電気壁として観える。放射導体１３０がｘ方向に共振する際、放射導体１３０からは、ｙ軸の正方向側が磁気壁として観え、ｙ軸の負方向側が磁気壁として観える。放射導体１３０がｘ方向に共振する際、放射導体１３０がこの２つの電気壁と２つの磁気壁とによって囲まれることにより、アンテナ１１０は、ｚ軸の正方向側からアンテナ１１０に含まれるｘｙ平面に入射する所定周波数の電磁波に対して、人工磁気壁特性を示す。
【００４６】
図９に示すように、放射導体１３０は、中心О１を含む。中心Ｏ１は、放射導体１３０の、ｘ方向およびｙ方向の両方の中心である。放射導体１３０は、ｘｙ平面に沿って延びる第１対称軸Ｔ１を含みうる。第１対称軸Ｔ１は、中心Ｏ１を通り、ｘ方向およびｙ方向に交わる方向に延びている。第１対称軸Ｔ１は、ｙ軸の正方向からｘ軸の負方向に向けて４５度傾いた方向に沿って延びてよい。放射導体１３０は、ｘｙ平面に沿って延びる第２対称軸Ｔ２を含みうる。第２対称軸Ｔ２は、中心Ｏ１を通り、第１対称軸Ｔ１に交わる方向に延びている。第２対称軸Ｔ２は、ｙ軸の正方向からｘ軸の正方向に向けて４５度傾いた方向に沿って延びてよい。放射導体１３０は、動作波長の２分の１の大きさであってよい。例えば、放射導体１３０のｘ方向における長さ、および放射導体１３０のｙ方向における長さは、動作波長の２分の１であってよい。
【００４７】
図７に示すように、放射導体１３０は、第１導体１３１と、第２導体１３２と、第３導体１３３と、第４導体１３４とを含む。放射導体１３０は、内導体１３５をさらに含んでよい。第１導体１３１〜第４導体１３４、内導体１３５、グラウンド導体１４０、第１給電線１５１〜第４給電線１５４、および第１接続導体１５５〜第４接続導体１５８の全てが、同じ材料を含んでよいし、または異なる材料を含んでよい。第１導体１３１〜第４導体１３４、内導体１３５、グラウンド導体１４０、第１給電線１５１〜第４給電線１５４、および第１接続導体１５５〜第４接続導体１５８のいずれかの組み合わせが同じ材料を含んでよい。
【００４８】
第１導体１３１〜第４導体１３４の各々は、例えば同一形状の、略正方形であってよい。略正方形である第１導体１３１の２つの対角線、および、略正方形である第３導体１３３の２つの対角線は、ｘ方向およびｙ方向に沿う。第１導体１３１のｙ方向に沿う対角線の長さ、および、第３導体１３３のｙ方向に沿う対角線の長さは、動作波長の４分の１程度であってよい。略正方形である第２導体１３２の２つの対角線、および、略正方形である第４導体１３４の２つの対角線は、ｘ方向およびｙ方向に沿う。第２導体１３２のｘ方向に沿う対角線の長さ、および、第４導体１３４のｘ方向に沿う対角線の長さは、動作波長の４分の１程度であってよい。
【００４９】
第１導体１３１〜第４導体１３４の各々の少なくとも一部は、基体１２０の外側に露わになってよい。第１導体１３１〜第４導体１３４の各々の一部は、基体１２０の中に位置してよい。第１導体１３１〜第４導体１３４の各々の全体が、基体１２０の中に位置してよい。
【００５０】
第１導体１３１〜第４導体１３４は、基体１２０の上面１２１に沿って広がる。一例として、第１導体１３１〜第４導体１３４は、上面１２１上に、正方格子状に並んでよい。この場合、第１導体１３１と第４導体１３４とは、および、第２導体１３２と第３導体１３３とは、第１対称軸Ｔ１に沿って並んでよい。第１導体１３１と第２導体１３２とは、および、第４導体１３４と第３導体１３３とは、第２対称軸Ｔ２に沿って並んでよい。第１導体１３１〜第４導体１３４が並ぶ正方格子の２つの対角方向は、ｘ方向おおよびｙ方向に沿う。当該２つの対角方向のうち、ｙ方向に沿う対角方向は、第１対角方向と記載する。当該２つの対角方向のうちの、ｘ方向に沿う対角方向は、第２対角方向と記載する。第１対角方向と第２対角方向は、中心Ｏ１で交わりうる。
【００５１】
第１導体１３１〜第４導体１３４は、所定間隔を置いて、互いに離れて位置する。例えば、図５に示すように、第１導体１３１と第２導体１３２とは、間隔ｔ１を置いて離れて位置する。第３導体１３３と第４導体１３４とは、間隔ｔ１を置いて離れて位置する。第１導体１３１と第４導体１３４とは、間隔ｔ２を置いて離れて位置する。第２導体１３２と第３導体１３３とは、間隔ｔ２を置いて離れて位置する。第１導体１３１〜第４導体１３４は、所定間隔を置いて互いに離れて位置することにより、互いに容量的に接続されるように構成される。
【００５２】
図７に示すように、内導体１３５は、ｚ方向において、第１導体１３１〜１３４と対向している。内導体１３５は、第１導体１３１〜第４導体１３４よりも、ｚ軸の負方向側に位置する。内導体１３５は、図６に示すように、基体１２０の中に位置しうる。ただし、第１導体１３１〜第４導体１３４の各々の全体が基体１２０の中に位置する場合、内導体１３５は、第１導体１３１〜第４導体１３４よりも、ｚ軸の正方向側に位置してよい。この場合、内導体１３５の少なくとも一部は、基体１２０の上面１２１から露わになってよい。
【００５３】
内導体１３５は、第１導体１３１〜第４導体１３４の各々を容量的に接続するように構成される。例えば、内導体１３５と第１導体１３１〜第４導体１３４との間には、基体１２０の一部が位置しうる。内導体１３５と第１導体１３１〜第４導体１３４との間には基体１２０の一部が位置することにより、内導体１３５は、第１導体１３１〜第４導体１３４の各々を容量的に接続するように構成される。内導体１３５のｘｙ平面における面積は、第１導体１３１〜第４導体１３４と内導体１３５との間の所望の容量結合の大きさを考慮して、適宜調整されてよい。ｚ方向における第１導体１３１〜第４導体１３４と内導体１３５との間の距離は、第１導体１３１〜第４導体１３４と内導体１３５との間の所望の容量結合の大きさを考慮して、適宜調整されてよい。
【００５４】
内導体１３５は、ｘｙ平面に略平行であってよい。内導体１３５は、略正方形状であってよい。略正方形である内導体１３５の中心は、第１導体１３１〜第４導体１３４における中心О１と略一致してよい。略正方形である内導体１３５の２つの対角線のうちの一方の対角線は、第１対角方向に沿ってよい。略正方形である内導体１３５の２つの対角線のうちの他方の対角線は、第２対角方向に沿ってよい。
【００５５】
グラウンド導体１４０は、図２に示すグラウンド導体４０と同様の材料を含む。グラウンド導体１４０は、アンテナ素子１１１のグラウンドとして機能しうる。図６に示すように、グラウンド導体１４０は、回路基板１６０の後述のグラウンド導体１６５に接続されていてよい。この場合、グラウンド導体１４０は、回路基板１６０のグラウンド導体１６５と一体化されてよい。グラウンド導体１４０は、平板状の導体となりうる。グラウンド導体１４０は、基体１２０の下面１２２に位置する。
【００５６】
図７に示すように、グラウンド導体１４０は、ｘｙ平面に沿って広がる。グラウンド導体１４０は、ｚ方向において、放射導体１３０と対向している。グラウンド導体１４０と放射導体１３０との間には、基体１２０が介在する。グラウンド導体１４０は、放射導体１３０の形状に応じた形状でありうる。本実施形態では、グラウンド導体１４０は、略正方形状である放射導体１３０に応じた、略正方形状である。ただし、グラウンド導体１４０は、放射導体１３０に応じて、任意の形状であってよい。グラウンド導体１４０は、開口１４１，１４２，１４３，１４４を含む。開口１４１〜１４４のｘｙ平面における位置は、第１給電線１５１〜第４給電線１５４のｘｙ平面における位置に応じて、適宜調整されてよい。
【００５７】
給電線１５０は、図１に示す給電線５０と同様の材料を含む。給電線１５０は、スルーホール導体またはビア導体等であってよい。給電線１５０は、アンテナ素子１１１からの電気信号を外部の回路基板１６０等に供給可能に構成される。第１給電線１５１〜第４給電線１５４の各々は、放射導体１３０の異なる位置に接する。例えば、図５に示すように、第１給電線１５１は、第１導体１３１に電気的に接続されている。第２給電線１５２は、第２導体１３２に電気的に接続されている。第３給電線１５３は、第３導体１３３に電気的に接続されている。第４給電線１５４は、第４導体１３４に電気的に接続されている。ただし、第１給電線１５１〜第４給電線１５４の各々は、第１導体１３１〜第４導体１３４の各々に磁気的に接続されるように構成されてよい。第１給電線１５１〜第４給電線１５４の各々が第１導体１３１〜第４導体１３４の各々に接続される箇所は、給電点１５１Ａ、給電点１５２Ａ、給電点１５３Ａ、および給電点１５４Ａとも記載する。図６に示すように、第１給電線１５１〜第４給電線１５４の各々は、グラウンド導体１４０の開口１４１〜１４４の各々を介して外部に通じている。第１給電線１５１〜第４給電線１５４の各々は、ｚ方向に沿って延びてよい。
【００５８】
第１給電線１５１および第３給電線１５３は、放射導体１３０がｙ方向に共振した際の電気信号の外部への供給に少なくとも寄与するように構成される。第２給電線１５２および第４給電線１５４は、放射導体１３０がｘ方向に共振した際の電気信号の外部への供給に少なくとも寄与するように構成される。
【００５９】
第１給電線１５１および第３給電線１５３と、第２給電線１５２と第４給電線１５４とは、放射導体１３０を異なる方向に励振させるように構成される。例えば、第１給電線１５１および第３給電線１５３は、放射導体１３０をｙ方向に励振させるように構成される。第２給電線１５２および第４給電線１５４は、放射導体１３０をｘ方向に励振させるように構成される。アンテナ１１０は、かかる給電線１５０を有することで、放射導体１３０を一方に励振させる際に放射導体１３０が他方に励振することを低減することができる。
【００６０】
第１給電線１５１および第３給電線１５３は、差動電圧で放射導体１３０を励振させるように構成される。第２給電線１５２および第４給電線１５４は、差動電圧で放射導体１３０を励振させるように構成される。アンテナ１１０は、差動電圧で放射導体１３０を励振させることで、放射導体１３０が励振する際の電位中心の、放射導体１３０の中心О１からの揺らぎを小さくすることができる。
【００６１】
図９に示すように、ｙ方向において、第１給電線１５１と第３給電線１５３との間には、放射導体１３０の中心О１が位置する。第１給電線１５１と中心О１との間の第１距離Ｄ１と、第３給電線１５３と中心Ｏ１との間の第３距離Ｄ３とは略等しい。
【００６２】
図９に示すように、ｘ方向において、第２給電線１５２と第４給電線１５４との間には、放射導体１３０の中心Ｏ１が位置する。第２給電線１５２と中心Ｏ１との間の第２距離Ｄ２と、第４給電線１５４と中心Ｏ１との間の第４距離Ｄ４とは略等しい。本実施形態では、第２距離Ｄ２は、第１距離Ｄ１と略等しい。ただし、第２距離Ｄ２は、第１距離Ｄ１と異なってよい。
【００６３】
第１給電線１５１および第２給電線１５２は、第１対称軸Ｔ１を挟んで対称性を有してよい。第３給電線１５３および第４給電線１５４は、第１対称軸Ｔ１を挟んで対称性を有してよい。例えば、給電点１５１Ａと給電点１５２Ａとは、および給電点１５３Ａと給電点１５４Ａとは、第１対称軸Ｔ１と軸として線対称であってよい。
【００６４】
第１給電線１５１および第４給電線１５４は、第２対称軸Ｔ２を挟んで対称性を有してよい。第２給電線１５２および第３給電線１５３は、第２対称軸Ｔ２を挟んで対称性を有してよい。例えば、給電点１５１Ａと給電点１５４Ａとは、および給電点１５２Ａと給電点１５３Ａとは、第２対称軸Ｔ２を軸として線対称であってよい。
【００６５】
第１給電線１５１と第３給電線１５３とを結ぶ方向は、ｙ方向に沿う。第１給電線１５１と第３給電線１５３とを結ぶ方向は、第１対角方向に沿う。第２給電線１５２と第４給電線１５４とを結ぶ方向は、ｘ方向に沿う。第２給電線１５２と第４給電線１５４とを結ぶ方向は、第２対角方向に沿う。ただし、後述の図１５に示すように、第１給電線１５１と第３給電線１５３とを結ぶ方向は、第１対角方向に対して傾いていてよい。第２給電線１５２と第４給電線１５４とを結ぶ方向は、第２対角方向に対して傾いていてよい。
【００６６】
図８に示すように、回路基板１６０は、第１給電回路６１Ａと、第２給電回路６２Ａとを含む。図６に示すように、回路基板１６０は、グラウンド導体１６５を含む。
【００６７】
第１給電回路６１Ａは、第１給電線１５１および第３給電線１５３に電気的に接続されている。第１給電回路６１Ａは、第１反転回路６３と、第１配線１６１と、第３配線１６３とを含む。本実施形態では、第１反転回路６３は、第１給電線１５１および第３給電線１５３の一方に接続されるインダクタンス素子と、他方に接続されるキャパシタンス素子とを含みうる。第１給電回路６１Ａは、互いの位相が略逆相となる逆相信号を第１給電線１５１および第３給電線１５３に供給するように構成される。アンテナ１１０では、第１給電線１５１および第３給電線１５３に逆位相の電気信号が供給される。アンテナ１１０では、放射導体１３０がｙ方向に沿って共振する際に、第１導体１３１〜第４導体１３４の中心Ｏ１近傍での電位変動が小さくなる。アンテナ１１０は、放射導体１３０がｙ方向に沿って共振する際、中心О１近傍を節として共振するように構成される。
【００６８】
第２給電回路６２Ａは、第２給電線１５２および第４給電線１５４に電気的に接続されている。第２給電回路６２Ａは、第２反転回路６４と、第２配線１６２と、第４配線１６４とを含む。本実施形態では、第２反転回路６４は、第２給電線１５２および第４給電線１５４の一方に接続されるインダクタンス素子と、他方に接続されるキャパシタンス素子とを含みうる。第２給電回路６２Ａは、互いの位相が略逆相となる逆相信号を第２給電線１５２および第４給電線１５４に供給するように構成される。アンテナ１１０では、第２給電線１５２および第４給電線１５４に逆位相の電気信号が供給される。アンテナ１１０では、放射導体１３０がｘ方向に沿って共振する際に、第１導体１３１〜第４導体１３４の中心Ｏ１近傍での電位変動が小さくなる。アンテナ１１０は、放射導体１３０がｘ方向に沿って共振する際、中心О１近傍を節として共振する。
【００６９】
第１配線１６１〜第４配線１６４は、任意の導電性材料を含む。第１配線１６１〜第４配線１６４は、後述のように、配線パターンとして形成されてよい。
【００７０】
図８に示すように、第１配線１６１は、第１反転回路６３と、第１給電線１５１とを電気的に接続する。第２配線１６２は、第２反転回路６４と、第２給電線１５２とを電気的に接続する。第３配線１６３は、第１反転回路６３と第３給電線１５３とを電気的に接続する。第４配線１６４は、第２反転回路６４と、第４給電線１５４とを電気的に接続する。
【００７１】
第１配線１６１の配線長および幅と、第３配線１６３の配線長および幅とは、略等しくてよい。第１配線１６１の配線長および幅と、第３配線１６３の配線長および幅とが、略等しくなることにより、第１配線１６１のインピーダンスと第３配線１６３のインピーダンスとが略等しくなりうる。
【００７２】
第２配線１６２の配線長および幅と、第４配線１６４の配線長および幅とは、略等しくてよい。第２配線１６２の配線長および幅と、第４配線１６４の配線長および幅とが、略等しくなることにより、第２配線１６２のインピーダンスと第４配線１６４のインピーダンスとが略等しくなりうる。
【００７３】
グラウンド導体１６５は、任意の導電性材料を含む。グラウンド導体１６５は、導体層であってよい。グラウンド導体１６５は、回路基板１６０に含まれるｘｙ平面に略平行な２つの表面のうち、ｚ軸の正方向側に位置する表面に位置する。
【００７４】
図１０は、アンテナ２１０の一実施形態を示す平面図である。図１１は、図１０に示すアンテナ２１０の一部を分解した斜視図である。以下、図１０に示すアンテナ２１０と、図５に示すアンテナ１１０との間の主な相違点について説明する。
【００７５】
図１０および図１１に示すように、アンテナ２１０は、基体１２０と、放射導体２３０と、グラウンド導体１４０と、第１接続導体１５５〜第４接続導体１５８とを含む。アンテナ２１０は、第１給電線１５１と、第２給電線１５２と、第３給電線１５３と、第４給電線１５４と、回路基板１６０とを含む。放射導体２３０、グラウンド導体１４０、第１接続導体１５５〜第４接続導体１５８、給電線１５０は、アンテナ素子２１１として機能する。
【００７６】
図１１に示すように、放射導体２３０は、第１導体１３１〜第４導体１３４と、内導体２３５を含む。内導体２３５は、図７に示す内導体１３５と同様の材料を含んで構成されてよい。内導体２３５は、第１枝部２３５ａと、第２枝部２３５ｂと、第１内導体２３６と、第２内導体２３７と、第３内導体２３８と、第４内導体２３９とを含む。第１枝部２３５ａ、第２枝部２３５ｂ、第１内導体２３６、第２内導体２３７、第３内導体２３８、および第４内導体２３９の、全てが同じ材料を含んでよいし、全てが異なる材料を含んでよい。第１枝部２３５ａ、第２枝部２３５ｂ、第１内導体２３６、第２内導体２３７、第３内導体２３８、および第４内導体２３９のいずれかの組合せが同じ材料を含んでよい。
【００７７】
第１内導体２３６は、ｚ方向において、第１導体１３１と対向している。第１内導体２３６は、ｚ方向において、第１導体１３１から離れて位置する。第１内導体２３６の全体が、ｘｙ平面において、第１導体１３１に重なってよい。第１内導体２３６のｘｙ平面における面積は、第１導体１３１のｘｙ平面における面積よりも、小さくてよい。第１内導体２３６は、第１導体１３１との間に基体１２０の一部が介在することにより、第１導体１３１に容量的に接続されるように構成される。第１内導体２３６のｘｙ平面における位置は、第１導体１３１のｘｙ平面における位置に応じて、適宜調整されてよい。
【００７８】
第２内導体２３７は、ｚ方向において、第２導体１３２と対向している。第２内導体２３７は、ｚ方向において、第２導体１３２から離れて位置する。第２内導体２３７の全体が、ｘｙ平面において、第２導体１３２に重なってよい。第２内導体２３７のｘｙ平面における面積は、第２導体１３２のｘｙ平面における面積よりも、小さくてよい。第２内導体２３７は、第２導体１３２との間に基体１２０の一部が介在することにより、第２導体１３２に容量的に接続されるように構成される。第２内導体２３７のｘｙ平面における位置は、第２導体１３２のｘｙ平面における位置に応じて、適宜調整されてよい。
【００７９】
第３内導体２３８は、ｚ方向において、第３導体１３３と対向している。第３内導体２３８は、ｚ方向において、第３導体１３３から離れて位置する。第３内導体２３８の全体が、ｘｙ平面において、第３導体１３３に重なってよい。第３内導体２３８のｘｙ平面における面積は、第３導体１３３のｘｙ平面における面積よりも、小さくてよい。第３内導体２３８は、第３導体１３３との間に基体１２０の一部が介在することにより、第３導体１３３に容量的に接続されるように構成される。第３内導体２３８のｘｙ平面における位置は、第３導体１３３のｘｙ平面における位置に応じて、適宜調整されてよい。
【００８０】
第４内導体２３９は、ｚ方向において、第４導体１３４と対向している。第４内導体２３９は、ｚ方向において、第４導体１３４から離れて位置する。第４内導体２３９の全体が、ｘｙ平面において、第４導体１３４に重なってよい。第４内導体２３９のｘｙ平面における面積は、第４導体１３４のｘｙ平面における面積よりも、小さくてよい。第４内導体２３９は、第４導体１３４との間に基体１２０の一部が介在することにより、第４導体１３４に容量的に接続されるように構成される。第４内導体２３９のｘｙ平面における位置は、第４導体１３４のｘｙ平面における位置に応じて、適宜調整されてよい。
【００８１】
第１内導体２３６〜第４内導体２３９の各々は、平板状であってよい。第１内導体２３６〜第４内導体２３９の各々は、略正方形であってよい。ただし、第１内導体２３６〜第４内導体２３９の各々は、正方形に限定されない。例えば、第１内導体２３６〜第４内導体２３９の各々は、円形であってよいし、楕円形であってよい。第１内導体２３６〜第４内導体２３９の全てが同じ形状であってよいし、第１内導体２３６〜第４内導体２３９の全てが異なる形状であってよい。
【００８２】
第１枝部２３５ａは、第１内導体２３６と第３内導体２３８とを電気的に接続する。第１枝部２３５ａの一端は、第１内導体２３６の４つの角部のうちの１つの角部に電気的に接続されている。第１枝部２３５ａの他端は、第３内導体２３８の４つの角部のうちの１つの角部に電気的に接続されている。第１枝部２３５ａは、第１給電線１５１と第３給電線１５３とを結ぶ方向に沿って、延びてよい。第１枝部２３５ａは、ｙ方向に沿って延びてよい。第１枝部２３５ａのｘ方向における幅は、第１内導体２３６と第３内導体２３８との間の機械的接続または電気的接続が維持できる程度に、細くてよい。
【００８３】
第２枝部２３５ｂは、第２内導体２３７と第４内導体２３９とを電気的に接続する。第２枝部２３５ｂの一端は、第２内導体２３７の４つの角部のうちの１つの角部に電気的に接続されている。第２枝部２３５ｂの他端は、第４内導体２３９の４つの角部のうちの１つの角部に電気的に接続されている。第２枝部２３５ｂは、第２給電線１５２と第４給電線１５４とを結ぶ方向に沿って、延びてよい。第２枝部２３５ｂは、ｘ方向に沿って延びてよい。第２枝部２３５ｂのｙ方向における幅は、第２内導体２３７と第４内導体２３９との間の機械的接続または電気的接続が維持できる程度に、細くてよい。
【００８４】
第１枝部２３５ａと第２枝部２３５ｂとは、放射導体２３０の中心Ｏ１近傍で交わりうる。第１枝部２３５ａと第２枝部２３５ｂとは、中心Ｏ１近傍の一部を共有しうる。第１枝部２３５ａのｘ方向における幅と第２枝部２３５ｂのｙ方向における幅は、同一であってよいし、異なってよい。
【００８５】
内導体２３５では、第１内導体２３６〜第４内導体２３９と、第１導体１３１〜第４導体１３４との間の容量結合の方が、第１枝部２３５ａおよび第２枝部２３５ｂと、第１導体１３１〜第４導体１３４との間の容量結合よりも、大きくなりうる。内導体２３５と第１導体１３１〜第４導体１３４との間の容量結合において、第１内導体２３６〜第４内導体２３９と、第１導体１３１〜第４導体１３４との間の容量結合が、支配的となりうる。
【００８６】
例えばアンテナ２１０の組立工程において、第１導体１３１〜第４導体１３４のｘｙ平面における位置と、内導体２３５のｘｙ平面における位置との間にずれが生じる場合がある。このようなずれが生じても、ｘｙ平面における、第１内導体２３６〜第４内導体２３９の各々と、第１導体１３１〜第４導体１３４の各々との間のずれ量は、小さくなりうる。このずれ量が小さくなることにより、内導体２３５と第１導体１３１〜第４導体１３４との間の容量結合の大きさが設計値からずれてしまう蓋然性が低減されうる。このような構成により、アンテナ２１０において、内導体２３５と第１導体１３１〜第４導体１３４との間の容量結合の大きさがばらつくことが低減されうる。
【００８７】
図１２は、アンテナ３１０の一実施形態を示す斜視図である。図１３は、図１２に示す回路基板３６０の一部を分解した斜視図である。図１４は、図１３に示すＬ２−Ｌ２線に沿った回路基板３６０の断面図である。図１５は、図１２に示す放射導体３３０の構成を説明する平面図である。以下、図１２に示すアンテナ３１０と、図５に示すアンテナ１１０との間の主な相違点について説明する。
【００８８】
図１２および図１４に示すように、アンテナ３１０は、基体１２０と、放射導体３３０と、グラウンド導体１４０と、第１接続導体１５５〜第４接続導体１５８とを含む。図１３に示すように、アンテナ３１０は、第１給電線１５１と、第２給電線１５２と、第３給電線１５３と、第４給電線１５４と、回路基板３６０（多層配線基板）とを含む。放射導体３３０、グラウンド導体１４０、第１接続導体１５５〜第４接続導体１５８、および給電線１５０は、アンテナ素子３１１として機能する。
【００８９】
図１２に示すように、放射導体３３０は、第１導体１３１と、第２導体１３２と、第３導体１３３と、第４導体１３４とを含む。図１５に示すように、放射導体３３０は、内導体１３５を含む。ただし、放射導体３３０は、内導体１３５の代わりに、図１１に示す内導体２３５を含んでよい。
【００９０】
図１５に示すように、第１導体１３１〜第４導体１３４は、図９に示す構成と同様に、上面１２１上に、正方格子状に並ぶ。ただし、図１５に示す構成では、第１導体１３１〜第４導体１３４が並ぶ正方格子の第１対角方向は、ｙ方向に対して傾いている。第１対角方向がｙ方向に対して傾くことにより、第１対角方向は、第１給電線１５１と第３給電線１５３とを結ぶ方向すなわちｙ方向に対して傾きうる。第１給電線１５１と第３給電線１５３とを結ぶ方向が第１対角方向に対して傾くことにより、第１給電線１５１および第３給電線１５３は、放射導体３３０をｘ方向にも励振させることができる。図１５に示す構成では、第１導体１３１〜第４導体１３４が並ぶ正方格子の第２対角方向は、ｘ方向に対して傾いている。第２対角方向がｘ方向に対して傾くことにより、第２対角方向は、第２給電線１５２と第４給電線１５４とを結ぶ方向すなわちｘ方向に対して傾きうる。第２給電線１５２と第４給電線１５４とを結ぶ方向が第２対角方向に対して傾くことにより、第２給電線１５２および第４給電線１５４は、放射導体３３０をｙ方向にも励振させることができる。第１給電線１５１および第３給電線１５３の組み合わせ、ならびに、第２給電線１５２および第４給電線１５４の組み合わせは、放射導体３３０を２つの励振方向に励振させることができる。放射導体３３０を２つの励振方向に励振させることで、各方向のインピーダンス成分が給電線１５０に作用する。アンテナ３１０は、各方向のインピーダンス成分の相殺によって、入力時のインピーダンスを小さくしうる。ｙ方向に対する第１対角方向の傾きの角度、および、ｘ方向に対する第２対角方向の傾きの角度は、アンテナ３１０の所望の利得を考慮して、適宜調整されてよい。
【００９１】
図１５に示すように、略正方形である内導体１３５の２つの対角線のうちの一方の対角線は、第１対角方向に沿ってよい。略正方形である内導体１３５の２つの対角線のうちの一方の対角線は、第１対角方向と同様に、ｙ方向に対して傾いていてよい。略正方形である内導体１３５の２つの対角線のうちの他方の対角線は、第２対角方向に沿ってよい。略正方形である内導体１３５の２つの対角線のうちの他方の対角線は、第２対角方向と同様に、ｘ方向に対して傾いていてよい。
【００９２】
図１４に示すように、回路基板３６０は、各層がｚ方向に沿って積層された構造を有する。回路基板３６０の積層方向は、ｚ方向に対応し得る。回路基板３６０の各層において、アンテナ３１０とは反対側に位置する層は、下層という。回路基板３６０の各層において、アンテナ３１０側に位置する層は、上層という。
【００９３】
図１２に示すように、回路基板３６０は、第１給電回路６１Ｂと、第２給電回路６２Ｂとを含む。第１給電回路６１Ｂは、第１反転回路６３Ａを含む。第２給電回路６２Ｂは、第２反転回路６４Ａを含む。第１反転回路６３Ａおよび第２反転回路６４Ａは、バランである。第１反転回路６３Ａは、図１５に示すように、放射導体３３０の中心О１から、ｘ方向に沿って離れて位置してよい。放射導体３３０の中心Ｏ１と、第１反転回路６３Ａとを結ぶ距離は、距離Ｄ５と記載する。第２反転回路６４Ａは、放射導体３３０の中心Ｏ１から、ｙ方向に沿って離れて位置してよい。放射導体３３０の中心Ｏ１と第２反転回路６４Ａとを結ぶ距離は、距離Ｄ６と記載する。後述のように、距離Ｄ５と距離Ｄ６とは、異なってよい。
【００９４】
図１３に示すように、回路基板３６０は、第１配線パターン３６１および誘電体層３６１Ａと、第２配線パターン３６２および誘電体層３６２Ａと、第３配線パターン３６３および誘電体層３６３Ａと、第４配線パターン３６４および誘電体層３６４Ａとを含む。図１４に示すように、回路基板３６０は、グラウンド導体層３６５と、導体層３６６，３６７と、第１層３６８と、第２層３６９とを含む。
【００９５】
第１配線パターン３６１〜第４配線パターン３６４の各々は、図８に示す第１配線１６１〜第４配線１６４の各々の配線パターンでありうる。第１配線パターン３６１は、第１反転回路６３Ａと第１給電線１５１とを電気的に接続する。第２配線パターン３６２は、第２反転回路６４Ａと第２給電線１５２とを電気的に接続する。第３配線パターン３６３は、第１反転回路６３Ａと第３給電線１５３とを電気的に接続する。第４配線パターン３６４は、第２反転回路６４Ａと第４給電線１５４とを電気的に接続する。第１給電線１５１〜第４給電線１５４の各々が第１配線パターン３６１〜第４配線パターン３６４の各々に接続される箇所は、接続点１５１Ｂ、接続点１５２Ｂ、接続点１５３Ｂ、および接続点１５４Ｂとも各々記載する。
【００９６】
第１配線パターン３６１および第３配線パターン３６３は、図１４に示す第１層３６８に位置する。第１配線パターン３６１および第３配線パターン３６３は、第１層３６８の中において、ｘｙ平面に沿って延在してよい。図１５に示すように、第１配線パターン３６１と第３配線パターン３６３とは、放射導体３３０の中心Ｏ１と第１反転回路６３Ａとを結ぶ方向を対称軸とする線対称であってよい。第１配線パターン３６１と第３配線パターン３６３が線対称となることにより、第１配線パターン３６１の幅および配線長と、第３配線パターン３６３の幅および配線長とは等しくなりうる。第１配線パターン３６１の配線長および第３配線パターン３６３の配線長は、図１５に示す距離Ｄ５が長くなるほど長くなり、距離Ｄ５が短くなるほど短くなりうる。
【００９７】
第２配線パターン３６２および第４配線パターン３６４は、図１４に示す第２層３６９に位置する。第２配線パターン３６２および第４配線パターン３６４は、第２層３６９の中において、ｘｙ平面に沿って延在してよい。図１５に示すように、第２配線パターン３６２と第４配線パターン３６４とは、放射導体３３０の中心Ｏ１と第２反転回路６４Ａとを結ぶ方向を対称軸とする線対称であってよい。第２配線パターン３６２と第４配線パターン３６４が線対称であることにより、第２配線パターン３６２の幅および配線長と、第４配線パターン３６４の幅および配線長とは等しくなりうる。第２配線パターン３６２の配線長および第４配線パターン３６４の配線長は、図１５に示す距離Ｄ６が長くなるほど長くなり、距離Ｄ６が短くなるほど短くなりうる。
【００９８】
第１配線パターン３６１および第３配線パターン３６３の配線長と、第２配線パターン３６２および第４配線パターン３６４の配線長とは、略等しくてよいし、異なってよい。図１５に示す距離Ｄ５と距離Ｄ６が略等しい場合、第１配線パターン３６１および第３配線パターン３６３の配線長と、第２配線パターン３６２および第４配線パターン３６４の配線長とは、略等しくなりうる。距離Ｄ５と距離Ｄ６が異なる場合、第１配線パターン３６１および第３配線パターン３６３の配線長と、第２配線パターン３６２および第４配線パターン３６４の配線長とは、異なりうる。本実施形態では、距離Ｄ５と距離Ｄ６とを適宜調整することにより、第１配線パターン３６１および第３配線パターン３６３の配線長と、第２配線パターン３６２および第４配線パターン３６４の配線長との間の関係が調整されうる。
【００９９】
誘電体層３６１Ａ〜３６４Ａの各々は、任意の誘電体材料を含む。誘電体層３６１Ａ〜３６４Ａの各々は、第１配線パターン３６１〜第４配線パターン３６４の各々の周囲を囲む。誘電体層３６１Ａ〜３６４Ａの各々は、第１配線パターン３６１〜第４配線パターン３６４の各々の形状に依拠した形状でありうる。誘電体層３６１Ａおよび誘電体層３６３Ａは、第１配線パターン３６１および第３配線パターン３６３と同様に、第１層３６８に位置する。誘電体層３６２Ａおよび誘電体層３６４Ａは、第２配線パターン３６２および第４配線パターン３６４と同様に、第２層３６９に位置する。
【０１００】
グラウンド導体層３６５は、図６に示すグラウンド導体１６５と同様の材料を含んでよい。グラウンド導体層３６５は、ｘｙ平面に沿って広がりうる。グラウンド導体層３６５は、回路基板３６０の最上層となり得る。グラウンド導体層３６５は、アンテナ３１０のグラウンド導体１４０に対向する。グラウンド導体層３６５とアンテナ３１０のグラウンド導体１４０とは、一体化されてよい。
【０１０１】
導体層３６６および導体層３６７の各々は、図６に示すグラウンド導体１６５と同様の材料を含みうる。導体層３６６は、第１層３６６の下層となる。導体層３６７は、第１層３６８と第２層３６９との間に位置する。導体層３６６および導体層３６７の各々は、ｘｙ平面に沿って広がりうる。導体層３６６および導体層３６７の各々は、ビア等を介して、グラウンド導体層３６５と電気的に接続されていてよい。
【０１０２】
導体層３６６および導体層３７７は、ｚ方向において、第１配線パターン３６１および第３配線パターン３６３の各々をシールドする。導体層３６７とグラウンド導体層３６５は、ｚ方向において、第２配線パターン３６２および第４配線パターン３６４の各々をシールドする。
【０１０３】
第１層３６８は、第２層３６９よりも、下層となる。第１層３６８は、回路基板３６０の積層方向すなわちｚ方向において、第２層３６９よりも、放射導体３３０から離れている。
【０１０４】
第１層３６８は、第１配線パターン３６１および誘電体層３６１Ａと、第３配線パターン３６３および誘電体層３６３Ａと、導体層３６８Ａとを含む。導体層３６８Ａは、図６に示すグラウンド導体１６５と同様の材料を含んでよい。導体層３６８Ａは、ビア等によって、第１層３６８の下層である導体層３６６および第１層３６８の上層である導体層３６７に電気的に接続されてよい。導体層３６８Ａは、第１層３６８において、誘電体層３６１Ａおよび誘電体層３６３Ａを除く箇所を、充填するように構成されてよい。導体層３６８Ａは、ｘ方向およびｙ方向において、第１配線パターン３６１および第３配線パターン３６３の各々をシールドする。
【０１０５】
第２層３６９は、第２配線パターン３６２および誘電体層３６２Ａと、第４配線パターン３６４および誘電体層３６４Ａと、導体層３６９Ａとを含む。導体層３６９Ａは、図６に示すグラウンド導体１６５と同様の材料を含んでよい。導体層３６９Ａは、ビア等によって、第２層３６９の上層であるグラウンド導体層３６５および第２層３６９の下層である導体層３６７に電気的に接続されてよい。導体層３６９Ａは、第２層３６９において、誘電体層３６２Ａおよび誘電体層３６４Ａを除く箇所を、充填するように構成されてよい。導体層３６９Ａは、ｘ方向およびｙ方向において、第２配線パターン３６２および第４配線パターン３６４の各々をシールドする。
【０１０６】
図１３に示すように、第１給電線１５１および第３給電線１５３の各々は、第１配線パターン３６１および第３配線パターン３６３の各々に電気的に接続されている。上述のように、第１配線パターン３６１および第３配線パターン３６３の各々は、同一の第１層３６８に位置する。このため、接続点１５１Ｂおよび接続点１５３Ｂのｚ方向における位置は、略等しくなりうる。給電点１５１Ａのｚ方向における位置および給電点１５３Ａのｚ方向における位置は、略等しくなりうる。従って、第１給電線１５１のｚ方向における長さと、第３給電線１５３のｚ方向における長さは、略等しくなりうる。
【０１０７】
図１３に示すように、第２給電線１５２および第４給電線１５４の各々は、第２配線パターン３６２および第４配線パターン３６４の各々に電気的に接続されている。上述のように、第２配線パターン３６２および第４配線パターン３６４の各々は、同一の第２層３６９に位置する。このため、接続点１５２Ｂおよび接続点１５４Ｂのｚ方向における位置は、略等しくなりうる。給電点１５２Ａのｚ方向における位置および給電点１５４Ａのｚ方向における位置は、略等しくなりうる。従って、第２給電線１５２のｚ方向における長さと、第４給電線１５４のｚ方向における長さは、略等しくなりうる。
【０１０８】
上述のように、第１層３６８は、第２層３６９よりも下層となる。そのため、第１層３６８に位置する接続点１５１Ｂおよび接続点１５３Ｂは、第２層に位置する接続点１５２Ｂおよび接続点１５４Ｂよりも、ｚ軸の負方向側に位置する。図１３に示すように、給電点１５１Ａ、給電点１５２Ａ、給電点１５３Ａ、および給電点１５４Ａの各々のｚ方向における位置は、略等しくなりうる。従って、第１給電線１５１のｚ方向における長さおよび第３給電線１５３のｚ方向における長さは、第２給電線１５２のｚ方向における長さおよび第４給電線１５４のｚ方向における長さよりも、長くなりうる。第１給電線１５１の抵抗値および第３給電線１５３の抵抗値は、第２給電線１５２の抵抗値および第４給電線１５４の抵抗値よりも、高くなりうる。
【０１０９】
第１給電線１５１の抵抗値および第３給電線１５３の抵抗値が第２給電線１５２の抵抗値および第４給電線の抵抗値よりも高くなる場合、図１５に示すように、距離Ｄ６は、距離Ｄ５よりも、長くてよい。距離Ｄ６が距離Ｄ５よりも長くなることにより、第２配線パターン３６２および第４配線パターン３６４の配線長は、第１配線パターン３６１および第３配線パターン３６３の配線長よりも、長くなりうる。第２配線パターン３６２および第４配線パターン３６４の抵抗値は、第１配線パターン３６１および第３配線パターン３６３の抵抗値よりも、高くなりうる。このような構成により、第１反転回路６３Ａから給電点１５１Ａおよび給電点１５３Ａの各々までの抵抗値と、第２反転回路６４Ａから給電点１５２Ａおよび給電点１５４Ａの各々までの抵抗値とを略等しくすることができる。ただし、第１反転回路６３Ａおよび第２反転回路６４Ａの各々のバランの特性は、許容誤差の範囲でばらつく場合がある。この場合、第１反転回路６３Ａから出力される２つの電気信号の位相差、および、第２反転回路６４Ａから出力される２つの電気信号の位相差は、１８０°からずれる場合がある。これら２つの電気信号の位相差が１８０°からずれていると、第１配線パターン３６１〜第４配線パターン３６４の間の干渉の度合いが、これら２つの電気信号の位相差が１８０°からずれていない場合と比べて、変化する場合がある。この場合、所望の周波数帯におけるアンテナ３１０の所望の利得を考慮して、距離Ｄ５および距離Ｄ６は、適宜調整されてよい。
【０１１０】
第１反転回路６３Ａから出力される２つの電気信号の位相差に応じては、放射導体３３０の中心Ｏ１と第１反転回路６３Ａとを結ぶ方向は、ｘ方向に対して傾いていてよい。例えば、給電点１５１Ａにおける電気信号と、給電点１５３Ａにおける電気信号との位相差が１８０°になるように、放射導体３３０の中心Ｏ１と第１反転回路６３Ａとを結ぶ方向をｘ方向に対して傾けてよい。
【０１１１】
第２反転回路６４Ａから出力される２つの電気信号の位相差に応じては、放射導体３３０の中心Ｏ１と第２反転回路６４Ａとを結ぶ方向は、ｙ方向に対して傾いていてよい。例えば、給電点１５２Ａにおける電気信号と、給電点１５４Ａにおける電気信号との位相差が１８０°になるように、放射導体３３０の中心Ｏ１と第２反転回路６４Ａとを結ぶ方向をｙ方向に対して傾けてよい。
【０１１２】
図１６は、アレイアンテナ１２の一実施形態を示す平面図である。アレイアンテナ１２は、複数のアンテナ素子１１を含む。ただし、アレイアンテナ１２は、アンテナ素子１１の代わりに、図５に示すアンテナ素子１１１、図１０に示すアンテナ素子２１１、および図１２に示すアンテナ素子３１１のいずれかを含んでよい。アンテナ素子１１は、ｙ方向に沿って並びうる。アンテナ素子１１は、ｙ方向に配列される。アンテナ素子１１は、ｘ方向に沿って並びうる。アンテナ素子１１は、ｘ方向に配列されうる。アレイアンテナ１２は、少なくとも１つの回路基板６０を含む。回路基板６０は、少なくとも１つの第１給電回路６１、および少なくとも１つの第２給電回路６２を含む。アレイアンテナ１２は、少なくとも１つの第１給電回路６１、および少なくとも１つの第２給電回路６２を含む。
【０１１３】
第１給電回路６１は、１または複数のアンテナ素子１１に接続されうる。第１給電回路６１は、複数のアンテナ素子１１に給電する際に、全てのアンテナ素子１１に同じ信号を供給してよい。第１給電回路６１は、複数のアンテナ素子１１に給電する際に、各アンテナ素子１１の第１給電線５１に同じ信号を供給してよい。第１給電回路６１は、複数のアンテナ素子１１に給電する際に、各アンテナ素子１１の第１給電線５１に位相の異なる信号を供給してよい。第１給電回路６１は、複数のアンテナ素子１１に給電する際に、各アンテナ素子１１の第３給電線５３に同じ信号を供給してよい。第１給電回路６１は、複数のアンテナ素子１１に給電する際に、各アンテナ素子１１の第３給電線５３に位相の異なる信号を供給してよい。
【０１１４】
第２給電回路６２は、１または複数のアンテナ素子１１に接続されうる。第２給電回路６２は、複数のアンテナ素子１１に給電する際に、全てのアンテナ素子１１に同じ信号を供給してよい。第２給電回路６２は、複数のアンテナ素子１１に給電する際に、各アンテナ素子１１の第２給電線５２に同じ信号を供給してよい。第２給電回路６２は、複数のアンテナ素子１１に給電する際に、各アンテナ素子１１の第２給電線５２に位相の異なる信号を供給してよい。第２給電回路６２は、複数のアンテナ素子１１に給電する際に、各アンテナ素子１１の第４給電線５４に同じ信号を供給してよい。第２給電回路６２は、複数のアンテナ素子１１に給電する際に、各アンテナ素子１１の第４給電線５４に位相の異なる信号を供給してよい。
【０１１５】
図１７は、無線通信モジュール７０の一実施形態を示す平面図である。無線通信モジュール７０は、駆動回路７１を含む。駆動回路７１は、アンテナ素子１１を駆動するように構成される。ただし、駆動回路７１は、図５に示すアンテナ素子１１１、図１０に示すアンテナ素子２１１、および図１２に示すアンテナ素子３１１のいずれかを駆動するように構成されてよい。駆動回路７１は、第１給電回路６１および第２給電回路６２の各々に直接的または間接的に接続されている。駆動回路７１は、第１給電回路６１および第２給電回路６２の少なくとも１つに送信信号を給電しうる。駆動回路７１は、第１給電回路６１および第２給電回路６２の少なくとも１つから受信信号の給電を受けうる。
【０１１６】
図１８は、無線通信機器８０の一実施形態を示す平面図である。無線通信機器８０は、無線通信モジュール７０と、センサ８１と、バッテリ８２とを含みうる。センサ８１は、センシングを行う。バッテリ８２は、無線通信機器８０のいずれかに電力を供給するように構成される。駆動回路７１は、バッテリ８２からの電力供給により、駆動しうる。
【０１１７】
図１９は、無線通信システム９０の一実施形態を示す平面図である。無線通信システム９０は、無線通信機器８０と、第２無線通信機器９１とを含む。第２無線通信機器９１は、無線通信機器８０と無線通信する。
【０１１８】
よって、本開示によれば、新たな、アンテナ１０，１１０，２１０，３１０、アレイアンテナ１２、無線通信モジュール７０、および無線通信機器８０が提供され得る。
【０１１９】
本開示に係る構成は、以上説明してきた実施形態にのみ限定されるものではなく、幾多の変形または変更が可能である。例えば、各構成部等に含まれる機能等は論理的に矛盾しないように再配置可能であり、複数の構成部等を１つに組み合わせたり、或いは分割したりすることが可能である。
【０１２０】
本開示に係る構成を説明する図は、模式的なものである。図面上の寸法比率等は、現実のものと必ずしも一致しない。
【０１２１】
図１に示す実施形態では、アンテナ素子１１として、パッチアンテナを採用した。ただし、アンテナ素子１１は、パッチアンテナに限定されない。アンテナ素子１１として、他のアンテナが採用されてよい。
【０１２２】
図１６に示す実施形態では、アレイアンテナ１２において、複数のアンテナ素子１１が同じ向きで並びうる。アレイアンテナ１２において、隣り合う２つのアンテナ素子１１の向きが異なってよい。隣り合う２つのアンテナ素子１１の向きが異なる場合、アンテナ素子１１は、同じ方向に励振される。
【０１２３】
本開示において「第１」、「第２」、「第３」等の記載は、当該構成を区別するための識別子の一例である。本開示における「第１」および「第２」等の記載で区別された構成は、当該構成における番号を交換することができる。例えば、第１給電線は、第２給電線と識別子である「第１」と「第２」とを交換することができる。識別子の交換は同時に行われる。識別子の交換後も当該構成は区別される。識別子は削除してよい。識別子を削除した構成は、符号で区別される。例えば、第１給電線５１は、給電線５１としうる。本開示における「第１」および「第２」等の識別子の記載のみに基づいて、当該構成の順序の解釈、小さい番号の識別子が存在することの根拠、および大きい番号の識別子が存在することの根拠に利用してはなら      ない。本開示には、回路基板６０が第２給電回路６２を含むが、第１給電回路６１を含まない構成が含まれる。
【符号の説明】
【０１２４】
１０，１１０，２１０，３１０  アンテナ
１１，１１１，２１１，３１１  アンテナ素子
１２  アレイアンテナ
２０，１２０  基体
３０，１３０，２３０，３３０  放射導体
４０，１４０  グラウンド導体
４０ａ，１４１，１４２，１４３，１４４  開口
５０，１５０  給電線
５１，１５１  第１給電線
５２，１５２  第２給電線
５３，１５３  第３給電線
５４，１５４  第４給電線
５１Ａ，５２Ａ，５３Ａ，５４Ａ，１５１Ａ，１５２Ａ，１５３Ａ，１５４Ａ  給電点
６０，１６０，３６０  回路基板
６０Ａ  グラウンド導体
６１，６１Ａ，６１Ｂ  第１給電回路
６２，６２Ａ，６２Ｂ  第２給電回路
６３，６３Ａ  第１反転回路
６４，６４Ａ  第２反転回路
７０  無線通信モジュール
７１  駆動回路
８０  無線通信機器
８１  センサ
８２  バッテリ
９０  無線通信システム
９１  第２無線通信機器
１２１  上面
１２２  下面
１３１  第１導体
１３２  第２導体
１３３  第３導体
１３４  第４導体
１３５，２３５  内導体
１５１Ｂ，１５２Ｂ，１５３Ｂ，１５４Ｂ  接続点
１５５  第１接続導体
１５６  第２接続導体
１５７  第３接続導体
１５８  第４接続導体
１６１  第１配線
１６２  第２配線
１６３  第３配線
１６４  第４配線
１６５  グラウンド導体
２３５ａ  第１枝部
２３５ｂ  第２枝部
２３６  第１内導体
２３７  第２内導体
２３８  第３内導体
２３９  第４内導体
３６１  第１配線パターン
３６２  第２配線パターン
３６３  第３配線パターン
３６４  第４配線パターン
３６１Ａ，３６２Ａ，３６３Ａ，３６４Ａ  誘電体層
３６５  グラウンド導体層
３６６，３６７，３６８Ａ，３６９Ａ  導体層
３６８  第１層
３６９  第２層
【図１】
2020078045.tif 000003
【図２】
2020078045.tif 000004
【図３】
2020078045.tif 000005
【図４】
2020078045.tif 000006
【図５】
2020078045.tif 000007
【図６】
2020078045.tif 000008
【図７】
2020078045.tif 000009
【図８】
2020078045.tif 000010
【図９】
2020078045.tif 000011
【図１０】
2020078045.tif 000012
【図１１】
2020078045.tif 000013
【図１２】
2020078045.tif 000014
【図１３】
2020078045.tif 000015
【図１４】
2020078045.tif 000016
【図１５】
2020078045.tif 000017
【図１６】
2020078045.tif 000018
【図１７】
2020078045.tif 000019
【図１８】
2020078045.tif 000020
【図１９】
2020078045.tif 000021